(57)【要約】【課題】装置本体の開口内に嵌合して閉止状態となるドアを備えた金銭取扱い装置において、ドア上部に雨水が溜まった状態でドアを開放した場合においても、当該雨水が装置本体内の各種ユニット上に落下することがない雨水落下防止構造を提供する。【解決手段】前面に開口１Ａを有した筐体内に各種ユニットを収容した装置本体１と、該装置本体の前面開口を横方向に開閉するために側部端縁を装置本体によって軸支されたドア２と、を備え、ドアの閉止時には、装置本体の前面開口寄りの天板１ａ下面にドアの天板２ａ上面が近接して嵌合される構造の金銭取扱い装置において、装置本体の天板下面に該装置本体の天板の前端縁を越えて外側へ突出する雨樋２０を設けた。【選択図】図１
2007140705.tif 000002
【特許請求の範囲】
【請求項１】
前面に開口を有した筐体内に各種ユニットを収容した装置本体と、該装置本体の前面開口を横方向に開閉するために側部端縁を装置本体によって軸支されたドアと、を備え、前記ドアの閉止時には、前記装置本体の前面開口寄りの天板下面に前記ドアの天板上面が近接して嵌合される構造の金銭取扱い装置において、
前記装置本体の天板下面に該装置本体の天板の前端縁を越えて外側へ突出する雨樋を設けたことを特徴とする金銭取扱い装置。
【請求項２】
前面に開口を有した筐体内に各種ユニットを収容した装置本体と、該装置本体の前面開口を横方向に開閉するために側部端縁を装置本体によって軸支されたドアと、を備え、前記ドアの閉止時には、前記装置本体の前面開口寄りの天板下面に前記ドアの天板上面が近接して嵌合される構造の金銭取扱い装置において、
前記ドアの天板下面に該ドアの天板の後端縁を越えて内側へ突出する雨樋を設けたことを特徴とする金銭取扱い装置。
【請求項３】
前記雨樋の少なくとも一部は、前記装置本体の横方向下向きに傾斜していることを特徴とする請求項１又は２に記載の金銭取扱い装置。
【請求項４】
前面に開口を有した筐体内に各種ユニットを収容した装置本体と、該装置本体の前面開口を横方向に開閉するために側部端縁を装置本体によって軸支されたドアと、を備え、前記ドアの閉止時には、前記装置本体の前面開口寄りの天板下面に前記ドアの天板上面が近接して嵌合される構造の金銭取扱い装置において、
前記ドアの天板上面に凹所を備え、該凹所の深さを該天板上面に長手方向に沿って変化させることにより、該天板上面の凹所に横方向傾斜を付与したことを特徴とする金銭取扱い装置。
【請求項５】
前面に開口を有した筐体内に各種ユニットを収容した装置本体と、該装置本体の前面開口を横方向に開閉するために側部端縁を装置本体によって軸支されたドアと、を備え、前記ドアの閉止時には、前記装置本体の前面開口寄りの天板下面に前記ドアの天板上面が近接して嵌合される構造の金銭取扱い装置において、
前記ドアの天板上面を奥方から手前側へ向けて下向き傾斜させたことを特徴とする金銭取扱い装置。
【請求項６】
前記装置本体の天板下面に該装置本体の天板の前端縁を越えて外側へ突出する雨樋を設けたことを特徴とする請求項４又は５に記載の金銭取扱い装置。
【発明の詳細な説明】
【技術分野】
【０００１】
本発明は、自動販売機、両替機、金銭払出装置、精算機等の金銭取扱い装置の改良に関し、特に装置本体の前面開口に軸支されたドアを横方向に開放する際にドア上部に溜まっていた雨水が装置本体内の各種ユニット上に落下することを防止することができる金銭取扱い装置に関する。
【背景技術】
【０００２】
セルフ給油方式を採用したガソリンスタンドでは、更なるコスト低減を図るために複数の給油機に対して、単数又は少数の精算機を別構成にして設置したシステムを採用することが多い。この給油システムにおいては、利用者が給油機の金銭投入口に金銭を投入してから給油操作を行った際に釣銭がある場合においても、給油機自体からは釣銭は払い出されず、釣銭に関する情報をバーコードにより記録したレシートを給油機から発行する。釣銭の払出しは、給油機から離間した箇所に別途設置された精算機により行われる。
利用者は精算機のレシート挿入口内にレシートを挿入して、挿入口内に配置されたバーコードリーダからの検知用のレーザ光をレシートのバーコード部分に照射させることによって釣銭に関する情報の読取りを受ける。精算機側では、レシート上のバーコードから読取った釣銭情報に基づいて払出口に釣銭を払い出す。このように給油機毎に精算機を設けずに、複数の給油機に共通する一台、或いは少数の精算機によって釣銭を払い出すように構成することによって、給油機の装置構成を簡略化すると共に管理手数を低減して、コストダウンを図ることが可能となる（特許文献１、２）。
図６（ａ）は精算機の外観図（正面図）であり、この精算機は、装置本体１の前面に開閉自在なドア（外装体）２を備え、このドア２の前面にはレシート挿入口３、紙幣払出口４、硬貨払出口５、払出し金額等の表示部６等が装備されている。
図６（ｂ）はドアを開放した時に筐体の前面開口１Ａから露出する装置本体１の内部構成を示しており、レシート挿入口３の直上に相当する位置にはバーコードリーダ１０が配置され、紙幣払出口４の内側に相当する位置には紙幣払出口に払出し用の紙幣を供給する紙幣ユニット（金銭払出装置）１１が配置され、硬貨払出口５の内側に相当する位置には硬貨払出口に払出し用の硬貨を供給する硬貨ユニット（金銭払出装置）１５が配置されている。更に、装置本体１内には図示しない制御手段が配置されている。
【０００３】
図７（ａ）及び（ｂ）はドア開放時にドア上部に溜まった雨水が筐体内に落下する状態を説明するための図である。
この精算機は屋外に配置されるため降雨時には雨水により外面が濡れるが、装置本体１の天板１ａの上面は後方へ向けて傾斜したスロープとなっているため、筐体上面１ａに落下した雨水は後方へ流下して行く。しかし、ドア２の天板２ａの上面は水平面であるため、天板上面には雨水Ｗが溜まりやすい。また、（ａ）に示すようにドア閉止時に装置本体の天板１ａの下面とドアの天板２ａの上面との間の隙間にも毛細管現象によって雨水Ｗが溜まった状態となっている。このようにドア天板２ａの上面や、筐体天板とドア天板との間の隙間に雨水が溜まった状態で、メンテナンスのために作業員がドアを開放すると、（ｂ）に示すように溜まっていた雨水が一挙に落下し、その多くが装置本体内部の各種機械ユニット、電気ユニット上に落下する。各種ユニットには電気部品、端子などが露出配置されているため、これらに雨水が付着するとショートを起こしたり、腐食による劣化が促進される等の不具合をもたらす。
【特許文献１】特開平８−１１９３９６号公報
【特許文献２】特開２００５−４７５５８公報
【発明の開示】
【発明が解決しようとする課題】
【０００４】
上記のように従来の金銭取扱い装置における装置本体開口とドアとの閉止部構造にあっては、ドアの天板上面や、装置本体天板との間の隙間に溜まった水が、ドア開放時に落下して装置本体内の各種ユニット上に落下してトラブルを起こす原因となっていた。
本発明は上記に鑑みてなされたものであり、装置本体の開口内に嵌合して閉止状態となるドアを備えた金銭取扱い装置において、ドア上部に雨水が溜まった状態でドアを開放した場合においても、当該雨水が装置本体内の各種ユニット上に落下することがない雨水落下防止構造を提供することを目的としている。
【課題を解決するための手段】
【０００５】
上記目的を達成するため、請求項１の発明は、前面に開口を有した筐体内に各種ユニットを収容した装置本体と、該装置本体の前面開口を横方向に開閉するために側部端縁を装置本体によって軸支されたドアと、を備え、前記ドアの閉止時には、前記装置本体の前面開口寄りの天板下面に前記ドアの天板上面が近接して嵌合される構造の金銭取扱い装置において、前記装置本体の天板下面に該装置本体の天板の前端縁を越えて外側へ突出する雨樋を設けたことを特徴とする。
請求項２の発明は、前面に開口を有した筐体内に各種ユニットを収容した装置本体と、該装置本体の前面開口を横方向に開閉するために側部端縁を装置本体によって軸支されたドアと、を備え、前記ドアの閉止時には、前記装置本体の前面開口寄りの天板下面に前記ドアの天板上面が近接して嵌合される構造の金銭取扱い装置において、前記ドアの天板下面に該ドアの天板の後端縁を越えて内側へ突出する雨樋を設けたことを特徴とする。
請求項３の発明は、請求項１又は２において、前記雨樋の少なくとも一部は、前記装置本体の横方向下向きに傾斜していることを特徴とする。
請求項４の発明は、前面に開口を有した筐体内に各種ユニットを収容した装置本体と、該装置本体の前面開口を横方向に開閉するために側部端縁を装置本体によって軸支されたドアと、を備え、前記ドアの閉止時には、前記装置本体の前面開口寄りの天板下面に前記ドアの天板上面が近接して嵌合される構造の金銭取扱い装置において、前記ドアの天板上面に凹所を備え、該凹所の深さを該天板上面に長手方向に沿って変化させることにより、該天板上面の凹所に横方向傾斜を付与したことを特徴とする。
請求項５の発明は、前面に開口を有した筐体内に各種ユニットを収容した装置本体と、該装置本体の前面開口を横方向に開閉するために側部端縁を装置本体によって軸支されたドアと、を備え、前記ドアの閉止時には、前記装置本体の前面開口寄りの天板下面に前記ドアの天板上面が近接して嵌合される構造の金銭取扱い装置において、前記ドアの天板上面を奥方から手前側へ向けて下向き傾斜させたことを特徴とする。
請求項６の発明は、請求項４又は５において、前記装置本体の天板下面に該装置本体の天板の前端縁を越えて外側へ突出する雨樋を設けたことを特徴とする。
【発明の効果】
【０００６】
以上のように本発明によれば、装置本体の前面開口を横方向に開閉するために側部端縁を装置本体によって軸支されたドアの閉止時に、装置本体の前面開口寄りの天板下面にドアの天板上面が近接して嵌合される構造の金銭取扱い装置において、装置本体の天板下面に該装置本体の天板の前端縁を越えて外側へ突出する雨樋を設けたので、ドア上部に雨水が溜まった状態でドアを開放した場合においても、当該雨水が装置本体内の各種ユニット上に落下することを防止できる。
【発明を実施するための最良の形態】
【０００７】
以下、本発明を図面に示した実施の形態により詳細に説明する。
図１（ａ）及び（ｂ）は本発明の一実施形態に係る金銭取扱い装置に装備される雨水落下防止構造（雨樋）を示す要部構成図、及び雨樋の構成を示す正面図である。
なお、金銭取扱い装置の全体構成については図６を併せて参照し、同一部分には同一符号を付して説明する。
本発明の金銭取扱い装置の構造は、雨水落下防止構造Ａを除き、図６に示した従来の金銭取扱い装置とほぼ同等である。即ち、この金銭取扱い装置は、前面が開放した筐体内に各種ユニットを収容した装置本体１と、装置本体１の前面開口１Ａを横方向に開閉するために側部端縁を装置本体によって軸支されたドア２と、を備えている。また、装置本体１の天板１ａの上面は、後方に向かって下向きに傾斜している。
ドア２の閉止時には、装置本体の天板１ａの下面にドアの天板２ａの上面が近接して嵌合されるように構成されている。
この装置本体１の前面開口１Ａに設けられる雨水落下防止構造Ａは、装置本体１の天板１ａ下面に装置本体天板１ａの前端縁を越えて外側（図面左方）へ突出する雨樋２０を設けた構成が特徴的である。
雨樋２０は、図１（ａ）に示すようにドア閉止時に装置本体天板１ａの前端縁の下方において該前端縁を外側へ越えて突出しているため、点線のようにドア２を開放した際にドア天板２ａの上面、及びドア天板上面と装置本体天板１ａ下面との間に溜まっていた雨水Ｗが矢印のように落下した場合においても当該雨水Ｗを確実に雨樋２０上に捕集することができる。このため、雨水が装置本体内の各種ユニット上に落下してトラブルを起こすことがなくなる。
更に、雨樋２０上に落下した雨水を積極的に排水するために、図１（ｂ）に示すように、雨樋２０を正面から見て横方向に傾斜させることが有効である。図２は雨樋を傾斜させた状態を示す斜視図であり、雨樋の終端部を装置本体１の側端部に延在させて内部ユニットに雨水が落下する虞のない位置から排水するように構成する。
なお、雨樋を傾斜させる方向は図示の方向に限らず、ユニット上に落下しないように配慮さえするのであれば、どの方向、どの位置に落下させてもよい。
【０００８】
次に、図３に示した他の実施形態に係る雨水落下防止構造Ａでは、雨樋を装置本体側ではなく、ドア側に設けた構成が特徴的である。即ち、この雨水落下構造Ａでは、ドア２の天板２ａ下面に該ドア天板２ａの後端縁（右側端縁）を越えて内側（右方）へ突出する雨樋３０を設けている。このように構成した場合にも、ドア上部から落下する雨水を雨樋３０により捕集することができる。なお、この実施形態の場合には、ドア２を速い速度で開放せずに、点線まで開放した状態で短時間停止させておくことにより落下してくる雨水を完全に捕集することが可能となる。
この実施形態の場合も図１（ｂ）の場合と同様に雨樋３０を横方向に傾斜させるのが好ましい。
次に、図４は本発明の他の実施形態に係る雨水落下防止構造を示す説明図であり、この雨水落下防止構造Ａは、ドア２の天板２ａ上面を奥方から手前側へ向けて下向き傾斜させた構成が特徴的である。
このように装置本体の天板１ａ上面のみならず、ドア２の天板上面をも傾斜させることにより、雨水が溜まることを防止することが可能となる。ただ、装置本体天板下面とドア天板上面との間に溜まった雨水がドア開放時にユニット上に落下する虞もあるので、図１或いは図３に示した雨樋を併用するのが好ましい。
【０００９】
次に、図５（ａ）及び（ｂ）は本発明の他の実施形態に係る雨水落下防止構造を示す要部構成図、及びドアの天板の構成を示す斜視図である。
この実施形態に係るドア２は、その天板２ａの上面にドアの厚み方向中央部が下方へ湾曲（或いはＶ字状に屈曲）した凹所４０を備えている。このようにドア天板に凹所４０を形成することによって矢印で示すように雨水Ｗが凹所中央部に集まりやすくなる。更に、本発明では（ｂ）に示すようにドア天板上面の凹所４０の深さＤが長手方向（横方向）一端部から他端部に向けて下向きに漸増するように構成した。換言すれば、凹所４０の内底面中央部は一端から他端へ向けて下向きに傾斜している。このため、凹所中央部に集まった雨水は凹所内の長手方向への下向き傾斜に沿って下流側へ移動し凹所端部４０から速やかに落下することができる。
なお、図４、図５の各実施形態に示したドア２の雨水落下防止構造を、図１の雨樋の構造を組み合わせても良い。
なお、本発明の金銭取扱い装置は、ガソリンスタンドに設置される精算機ばかりでなく、金融機関のＡＴＭや、券売機、自販機等の金銭取扱い装置一般に適用することができる。
【図面の簡単な説明】
【００１０】
【図１】（ａ）及び（ｂ）は本発明の一実施形態に係る金銭取扱い装置に装備される雨水落下防止構造（雨樋）を示す要部構成図、及び雨樋の構成を示す正面図。
【図２】雨樋を傾斜させた状態を示す斜視図。
【図３】本発明の変形実施形態の構成説明図。
【図４】本発明の他の実施形態に係る雨水落下防止構造を示す説明図。
【図５】（ａ）及び（ｂ）は本発明の他の実施形態に係る雨水落下防止構造を示す要部構成図、及びドアの天板の構成を示す斜視図。
【図６】（ａ）は精算機の外観図（正面図）、（ｂ）はドアを開放した時に筐体の前面開口から露出する装置本体の内部構成を示す図。
【図７】（ａ）及び（ｂ）はドア開放時にドア上部に溜まった雨水が筐体内に落下する状態を説明するための図。
【符号の説明】
【００１１】
１…装置本体、１Ａ…前面開口、１ａ…装置本体天板、２…ドア、２ａ…ドア天板、３…レシート挿入口、４…紙幣払出口、５…硬貨払出口、６…表示部、１０…バーコードリーダ、２０…雨樋、３０…雨樋、４０…凹所。
【図１】
2007140705.tif 000003
【図２】
2007140705.tif 000004
【図３】
2007140705.tif 000005
【図４】
2007140705.tif 000006
【図５】
2007140705.tif 000007
【図６】
2007140705.tif 000008
【図７】
2007140705.tif 000009